(57)【特許請求の範囲】
【請求項１】
複数の単電池を直列に接続して構成される組電池の異常を検出する異常検出装置であって、
前記複数の単電池の容量の均等化を図るための容量均等化手段と、
前記容量均等化手段による各前記単電池の放電量に基づいて、前記組電池を構成する単電池の異常を判定するための異常判定手段とを含む、組電池の異常検出装置。
【請求項２】
前記異常判定手段は、前記放電量が少ない単電池を異常であると判定するための手段を含む、請求項１に記載の組電池の異常検出装置。
【請求項３】
前記異常判定手段は、前記放電量が予め定められたしきい値よりも少ない単電池を異常であると判定するための手段を含む、請求項１に記載の組電池の異常検出装置。
【請求項４】
前記異常判定手段は、前記放電量が、前記組電池を構成する単電池の放電量の平均値よりも予め定められた値以上少ない単電池を異常であると判定するための手段を含む、請求項１に記載の組電池の異常検出装置。
【請求項５】
前記異常判定手段は、前記放電量が、前記組電池を構成する単電池の中の最大放電量よりも予め定められた値以上少ない単電池を異常であると判定するための手段を含む、請求項１に記載の組電池の異常検出装置。
【請求項６】
前記単電池は、リチウム電池である、請求項１〜５のいずれかに記載の組電池の異常検出装置。
【請求項７】
複数の単電池を直列に接続して構成される組電池の異常を検出する異常検出方法であって、
前記複数の単電池の容量の均等化を図る容量均等化ステップと、
前記容量均等化ステップにおける各前記単電池の放電量に基づいて、前記組電池を構成する単電池の異常を判定する異常判定ステップとを含む、組電池の異常検出方法。
【請求項８】
前記異常判定ステップは、前記放電量が少ない単電池を異常であると判定するステップを含む、請求項７に記載の組電池の異常検出方法。
【請求項９】
前記異常判定ステップは、前記放電量が予め定められたしきい値よりも少ない単電池を異常であると判定するステップを含む、請求項７に記載の組電池の異常検出方法。
【請求項１０】
前記異常判定ステップは、前記放電量が、前記組電池を構成する単電池の放電量の平均値よりも予め定められた値以上少ない単電池を異常であると判定するステップを含む、請求項７に記載の組電池の異常検出方法。
【請求項１１】
前記異常判定ステップは、前記放電量が、前記組電池を構成する単電池の中の最大放電量よりも予め定められた値以上少ない単電池を異常であると判定するステップを含む、請求項７に記載の組電池の異常検出方法。
【請求項１２】
前記単電池は、リチウム電池である、請求項７〜１１のいずれかに記載の組電池の異常検出方法。
【発明の詳細な説明】
【０００１】
【発明の属する技術分野】
本発明は、組電池の異常検出装置に関し、特に、複数の単電池を直列に接続して構成される組電池の異常を検出する異常検出装置に関する。
【０００２】
【従来の技術】
このような組電池を構成する単電池は、各単電池の使用の経過に伴って単電池の自己放電電流のばらつきや、単電池に付設される単電池電圧検出回路の消費電流のばらつき等に起因して単電池個々の電圧がばらつく。これに加えて、充電効率のばらつきにより単電池個々の電圧がばらつく。このような単電池からなる組電池の電圧アンバランスを解消する均等化装置が提案されている。この均等化装置では、単電池毎に電圧を検出し、最低電圧の単電池とほぼ同じ電圧となるよう他の単電池を放電することにより、各単電池の電圧アンバランスを解消する。
【０００３】
さらに、こうした組電池の均等化装置に関して、特開２００２−２５６２８公報は、組電池を構成する単電池に異常が生じた場合に、その異常を検出する装置を開示する。
【０００４】
この公報に開示された異常検出装置は、複数の単電池を直列に接続してなる組電池の異常を検出する。この装置は、複数の単電池の容量を均等化する均等化回路と、その均等化回路が作動した頻度に基づいて組電池の異常を判定する異常判定回路とを含む。
【０００５】
この異常検出装置では、均等化回路は単電池毎に容量を調節し、異常検出回路は複数の単電池のうちのいずれかの単電池に対して容量を調節した頻度が予め定められた頻度以上のときにその単電池を異常と判定する。
【０００６】
【発明が解決しようとする課題】
しかしながら、上述の公報に開示された異常検出装置では、少ない放電を繰返し実行して均等化処理を行なった場合、正常である単電池を異常であると誤判定することが発生しうる。
【０００７】
本発明は、上述の課題を解決するためになされたものであって、組電池を構成する単電池の異常を正確に検出することができる、組電池の異常検出装置および異常検出方法を提供することである。
【０００８】
【課題を解決するための手段】
第１の発明に係る異常検出装置は、複数の単電池を直列に接続して構成される組電池の異常を検出する。この異常検出装置は、複数の単電池の容量の均等化を図るための容量均等化手段と、容量均等化手段による各単電池の放電量に基づいて、組電池を構成する単電池の異常を判定するための異常判定手段とを含む。
【０００９】
第１の発明によると、容量均等化手段は、複数のリチウム電池などを直列に接続した組電池の容量が均等化されるように、複数の単電池の中の最低のＯＣＶ（Open Current Voltage）になるように各単電池を放電する。このときの放電量が少ない単電池は、劣化して十分な電気量を充電できていない電池である。そのため、異常判定手段は、たとえば、複数の単電池の中で放電量が少ない単電池を異常であると判定する。その結果、組電池を構成する単電池の異常を正確に検出することができる、組電池の異常検出装置を提供することができる。
【００１０】
第２の発明に係る異常検出装置は、第１の発明の構成に加えて、異常判定手段は、放電量が少ない単電池を異常であると判定するための手段を含む。
【００１１】
第２の発明によると、均等化処理が実行されたときの放電量が少ない単電池は、劣化して十分な電気量を充電できていない電池であるので、このような電池を異常であると判定することができる。
【００１２】
第３の発明に係る異常検出装置は、第１の発明の構成に加えて、異常判定手段は、放電量が予め定められたしきい値よりも少ない単電池を異常であると判定するための手段を含む。
【００１３】
第３の発明によると、均等化処理が実行されたときの放電量が、予め定められたしきい値よりも少ない単電池は、劣化して十分な電気量を充電できていない電池であるので、このような電池を異常であると判定することができる。
【００１４】
第４の発明に係る異常検出装置は、第１の発明の構成に加えて、異常判定手段は、放電量が、組電池を構成する単電池の放電量の平均値よりも予め定められた値以上少ない単電池を異常であると判定するための手段を含む。
【００１５】
第４の発明によると、均等化処理が実行されたときの放電量が、組電池を構成する単電池の放電量の平均値よりも予め定められた値以上少ない単電池は、劣化して十分な電気量を充電できていない電池であるので、このような電池を異常であると判定することができる。
【００１６】
第５の発明に係る異常検出装置は、第１の発明の構成に加えて、異常判定手段は、放電量が、組電池を構成する単電池の中の最大放電量よりも予め定められた値以上少ない単電池を異常であると判定するための手段を含む。
【００１７】
第５の発明によると、均等化処理が実行されたときの放電量が、組電池を構成する単電池の中の最大放電量よりも予め定められた値以上少ない単電池は、劣化して十分な電気量を充電できていない電池であるので、このような電池を異常であると判定することができる。
【００１８】
第６の発明に係る異常検出装置は、第１〜第５のいずれかの発明の構成に加えて、単電池は、リチウム電池であるものである。
【００１９】
第６の発明によると、複数のリチウム電池から構成される組電池の異常を正確に検出できる異常検出装置を提供できる。
【００２０】
第７の発明に係る異常検出方法は、複数の単電池を直列に接続して構成される組電池の異常を検出する。この異常検出方法は、複数の単電池の容量の均等化を図る容量均等化ステップと、容量均等化ステップにおける各単電池の放電量に基づいて、組電池を構成する単電池の異常を判定する異常判定ステップとを含む。
【００２１】
第７の発明によると、容量均等化ステップにて、複数のリチウム電池などを直列に接続した組電池の容量が均等化されるように、複数の単電池の中の最低のＯＣＶになるように各単電池が放電される。このときの放電量が少ない単電池は、劣化して十分な電気量を充電できていない電池である。そのため、異常判定ステップにて、たとえば、複数の単電池の中で放電量が少ない単電池を異常であると判定する。その結果、組電池を構成する単電池の異常を正確に検出することができる、組電池の異常検出方法を提供することができる。
【００２２】
第８の発明に係る異常検出方法は、第７の発明の構成に加えて、異常判定ステップは、放電量が少ない単電池を異常であると判定するステップを含む。
【００２３】
第８の発明によると、均等化処理が実行されたときの放電量が少ない単電池は、劣化して十分な電気量を充電できていない電池であるので、このような電池を異常であると判定することができる。
【００２４】
第９の発明に係る異常検出方法は、第７の発明の構成に加えて、異常判定ステップは、放電量が予め定められたしきい値よりも少ない単電池を異常であると判定するステップを含む。
【００２５】
第９の発明によると、均等化処理が実行されたときの放電量が、予め定められたしきい値よりも少ない単電池は、劣化して十分な電気量を充電できていない電池であるので、このような電池を異常であると判定することができる。
【００２６】
第１０の発明に係る異常検出方法は、第７の発明の構成に加えて、異常判定ステップは、放電量が、組電池を構成する単電池の放電量の平均値よりも予め定められた値以上少ない単電池を異常であると判定するステップを含む。
【００２７】
第１０の発明によると、均等化処理が実行されたときの放電量が、組電池を構成する単電池の放電量の平均値よりも予め定められた値以上少ない単電池は、劣化して十分な電気量を充電できていない電池であるので、このような電池を異常であると判定することができる。
【００２８】
第１１の発明に係る異常検出方法は、第７の発明の構成に加えて、異常判定ステップは、放電量が、組電池を構成する単電池の中の最大放電量よりも予め定められた値以上少ない単電池を異常であると判定するステップを含む。
【００２９】
第１１の発明によると、均等化処理が実行されたときの放電量が、組電池を構成する単電池の中の最大放電量よりも予め定められた値以上少ない単電池は、劣化して十分な電気量を充電できていない電池であるので、このような電池を異常であると判定することができる。
【００３０】
第１２の発明に係る異常検出方法は、第７〜第１１のいずれかの発明の構成に加えて、単電池は、リチウム電池であるものである。
【００３１】
第１２の発明によると、複数のリチウム電池から構成される組電池の異常を正確に検出できる異常検出方法を提供できる。
【００３２】
【発明の実施の形態】
以下、図面を参照しつつ、本発明の実施の形態について説明する。以下の説明では、同一の部品には同一の符号を付してある。それらの名称および機能も同じである。したがってそれらについての詳細な説明は繰返さない。なお、以下の説明では、リチウム電池により組電池が構成されているとして説明するがこれに限定されない。また、この組電池は車両に搭載されているものとして説明する。
【００３３】
＜第１の実施の形態＞
図１に、本実施の形態に係る組電池の異常検出システムを示す。この異常検出システムは、リレー２００と、組電池３００と、リレー２００を介して負荷４００に接続された組電池３００の異常を検出する異常検出装置１００とを含む。Ｎ（Ｎは自然数）個の単電池が、直列に接続されている。異常検出装置１００は、組電池３００を構成する単電池Ｂ（１）〜Ｂ（Ｎ）の接続点と導電ラインＬ（０）〜Ｌ（Ｎ）を介して接続された電池ＥＣＵ（Electronic Control Unit）１１０と、導電ラインＬ（０）〜Ｌ（Ｎ）間に各々直列に接続されたトランジスタＴ（１）〜Ｔ（Ｎ）と抵抗Ｒ（１）〜Ｒ（Ｎ）とを含む。なお、抵抗Ｒ（１）〜Ｒ（Ｎ）の抵抗値は、すべて同じである。
【００３４】
組電池３００は、リチウム電池である単電池Ｂ（１）〜Ｂ（Ｎ）を直列に接続して構成されている。組電池３００には、リレー２００を介して負荷４００が接続される。
【００３５】
電池ＥＣＵ１１０は、ＣＰＵ１１２と、ＣＰＵ１１２で実行されるプログラムを記憶したＲＯＭ（Read Only Memory）１１４と、一時的にデータを記憶するＲＡＭ(Random Access Memory)１１６とを含む。この電池ＥＣＵ１００からは、組電池３００の異常を表示するインジケータ１２０への点灯信号や各トランジスタＴ（１）〜Ｔ（Ｎ）へのオンオフ信号などが出力ポートを介して出力される。
【００３６】
電池ＥＣＵ１００からのオンオフ信号によりトランジスタＴ（１）〜Ｔ（Ｎ）がオンされると、オンされたトランジスタを介して直列に接続された抵抗に電流が流れて、電力が消費される。
【００３７】
電池ＥＣＵ１１０のＣＰＵ１１２は、各単電池Ｂ（１）〜Ｂ（Ｎ）の電圧ＶＢ（１）〜ＶＢ（Ｎ）を検出する。ＣＰＵ１１２は、各単電池Ｂ（１）〜Ｂ（Ｎ）の電圧ＶＢ（１）〜ＶＢ（Ｎ）を、導電ラインＬ（０）〜Ｌ（Ｎ）のライン間の電位差として検出する。
【００３８】
電池ＥＣＵ１１０のＣＰＵ１１２は、予め定められたタイミングから経過した時間を計測することができるタイマを内蔵する。ＣＰＵ１１２は、このタイマにより、均等化処理における放電時間を検知する。抵抗Ｒ（１）〜Ｒ（Ｎ）の抵抗値は、すべて同じであるので、放電量と放電時間とは相関関係を有する。以下の説明では、放電量を直接検知しないで、均等化処理における各単電池毎に放電時間を検知して、その放電時間に基づいて異常な単電池を検出するとして説明するが、本発明はこれに限定されない。たとえば、放電時間以外の物理量を検知してその物理量に基づいて放電量を算出して、算出された放電量に基づいて異常な単電池を検出するものであってもよい。
【００３９】
図２を参照して、本実施の形態に係る電子ＥＣＵ１１０のＣＰＵ１１２で実行されるプログラムの制御構造について説明する。
【００４０】
ステップ（以下、ステップをＳと略す）１００にて、ＣＰＵ１１２は、均等化処理条件が満足されたか否かを判断する。この均等化処理条件は、負荷４００と組電池３００とが、リレー２００が開かれることにより切り離されたか否かに基づいて行なわれる。たとえば、この組電池３００を搭載した車両が停止してイグニッションスイッチがオフにされたことにより均等化処理条件を満足したと判断される。均等化条件が満足されると（Ｓ１００にてＹＥＳ）、処理はＳ１０２へ移される。もしそうでないと（Ｓ１００にてＮＯ）、処理はＳ１００へ移され、均等化処理条件を満足するまで待つ。
【００４１】
Ｓ１０２にて、ＣＰＵ１１２は、各単電池の電圧ＶＢ（Ｋ）（Ｋ＝１〜Ｎ）を検知する。Ｓ１０４にて、ＣＰＵ１１２は、検知した単電池の電圧ＶＢ（Ｋ）（Ｋ＝１〜Ｎ）の中で、最低の電圧ＶＭＩＮを判定する。
【００４２】
Ｓ１０６にて、ＣＰＵ１１２は、トランジスタＴ（Ｋ）をオンにする。このときＫは、１〜Ｎである。ただし、トランジスタＴ（Ｋ）は、最低電圧の単電池に対応するトランジスタを除く。Ｓ１０８にて、ＣＰＵ１１２は、タイマをスタートさせる。
【００４３】
Ｓ１１０にて、ＣＰＵ１１２は、サンプリングタイムに到達したか否かを判断する。このサンプリングタイムは、たとえば１時間に設定される。サンプリングタイムに到達すると（Ｓ１１０にてＹＥＳ）、処理はＳ１１２へ移される。もしそうでないと（Ｓ１１０にてＮＯ）、処理はＳ１０８へ戻され、サンプリングタイムに到達するまで待つ。
【００４４】
Ｓ１１２にて、ＣＰＵ１１２は、変数Ｋを初期化（Ｋ＝１）する。Ｓ１１４にて、ＣＰＵ１１２は、トランジスタＴ（Ｋ）がオン状態であるか否かを判断する。トランジスタＴ（Ｋ）がオン状態であると（Ｓ１１４にてＹＥＳ）、処理はＳ１１６へ移される。もしそうでないと（Ｓ１１４にてＮＯ）、処理はＳ１２８へ移される。
【００４５】
Ｓ１１６にて、電池ＥＣＵ１１２は、Ｋ番目の単電池の電圧ＶＢ（Ｋ）を検知する。Ｓ１１８にて、ＣＰＵ１１２は、ＶＢ（Ｋ）＝ＶＭＩＮ±αであるか否かを判断する。Ｓ１１８におけるＶＢ（Ｋ）は、Ｓ１０２にて検知したＶＢ（Ｋ）ではなく、Ｓ１１６にて検知したＶＢ（Ｋ）である。ＶＢ（Ｋ）＝ＶＭＩＮ±αであると（Ｓ１１８にてＹＥＳ）、処理はＳ１２０へ移される。もしそうでないと（Ｓ１１８にてＮＯ）、処理はＳ１２８へ移される。
【００４６】
Ｓ１２０にて、ＣＰＵ１１２は、タイマの現在値をＴＩ（Ｋ）に代入する。Ｓ１２２にて、ＣＰＵ１１２は、トランジスタＴ（Ｋ）をオフにする。Ｓ１２４にて、ＣＰＵ１１２は、ＴＩ（Ｋ）＜ＴＩＬＩＭであるか否かを判断する。このＴＩＬＩＭは、予めＲＡＭ１１６に記憶された、放電時間に関するしきい値である。ＴＩ（Ｋ）＜ＴＩＬＩＭであると（Ｓ１２４にてＹＥＳ）、処理はＳ１２６へ移される。もしそうでないと（Ｓ１２４にてＮＯ）、処理はＳ１２８へ移される。
【００４７】
Ｓ１２６にて、ＣＰＵ１１２は、Ｋ番目の単電池の異常フラグをセットする。Ｓ１２８にて、ＣＰＵ１１２は、変数Ｋに１を加算する。Ｓ１３０にて、ＣＰＵ１１２は、変数ＫがＮより大きいか否かを判断する。Ｎは、単電池の個数である。変数ＫがＮより大きいと（Ｓ１３０にてＹＥＳ）、処理はＳ１３２へ移される。もしそうでないと（Ｓ１３０にてＮＯ）、処理はＳ１１４へ戻され、次の単電池についての処理が行なわれる。
【００４８】
Ｓ１３２にて、ＣＰＵ１１２は、均等化処理中であるか否かを判断する。このとき、少なくとも１つのトランジスタＴ（Ｋ）がオン状態であると均等化処理中であると判断される。均等化処理中である場合には（Ｓ１３２にてＹＥＳ）、処理はＳ１１０へ戻される。もしそうでないと（Ｓ１３２にてＮＯ）、処理はＳ１３４へ移される。
【００４９】
Ｓ１３２にて、ＣＰＵ１１２は、最低電圧の単電池および異常フラグがセットされた単電池を異常としてＲＡＭ１１６に記憶する。その後、必要に応じて、電池ＥＣＵ１１０はインジケータ１２０にＲＡＭ１１６に記憶された異常な単電池についての情報を表示する。
【００５０】
以上のような構造およびフローチャートに基づく、本実施の形態に係る電池ＥＣＵ１１０の動作について説明する。複数のリチウム電池から構成される組電池を搭載した車両が停止して、イグニッションキーがオフにされると均等化処理条件を満足するとして判断される（Ｓ１００にてＹＥＳ）。電池ＥＣＵ１１０により各単電池の電圧ＶＢ（Ｋ）が検知される（Ｓ１０２）。検知された単電池の電圧の中で最低電圧ＶＭＩＮが判定される（Ｓ１０４）。最低電圧の単電池に対応するトランジスタを除き、トランジスタＴ（Ｋ）（Ｋ＝１〜Ｎ）がオンにされ（Ｓ１０６）、タイマがスタートされる（Ｓ１０８）。
【００５１】
サンプリングタイムである１時間ごとに（Ｓ１１０にてＹＥＳ）、トランジスタＴ（Ｋ）がオン状態であると（Ｓ１１４にてＹＥＳ）、そのＫ番目の単電池の電圧ＶＢ（Ｋ）が検知される（Ｓ１１６）。その電圧ＶＢ（Ｋ）がＶＭＩＮ付近になっていると（Ｓ１１８にてＹＥＳ）、Ｎ個ある単電池の中の最低の電圧に到達したものとして均等化処理が終了する。このときのタイマの現在値がＴＩ（Ｋ）に代入され（Ｓ１２０）、トランジスタＴ（Ｋ）がオフにされる（Ｓ１２２）。
【００５２】
ＴＩ（Ｋ）がＴＩＬＩＭよりも小さい場合には（Ｓ１２４にてＹＥＳ）、Ｋ番目の単電池の異常フラグがセットされる（Ｓ１２６）。すなわち、このＫ番目の単電池の放電時間は予め定められた放電時間に関するしきい値よりも小さかったと判断され、この単電池が十分に充電されていなかったものとして異常であると判断される。
【００５３】
このような処理が、サンプリング時間ごとにすべての単電池に対して実行される。均等化処理が進むにつれて、トランジスタＴ（Ｋ）が順次オフにされて、すべてのトランジスタＴ（Ｋ）がオフにされると均等化処理が終了する（Ｓ１３２にてＮＯ）。最低電圧の単電池および異常フラグがセットされた単電池が異常としてＲＡＭ１１６に記憶される。記憶された内容は、インジケータ１２０に表示される。
【００５４】
以上のようにして、本実施の形態に係る電池異常検知システムによると、複数の単電池の中の最低のＯＣＶになるように各単電池が放電される。このときの放電量が少ない単電池は、劣化して十分な電気量を充電できていない電池として、その単電池が異常であると判定される。その結果、組電池を構成する単電池の異常を正確に検出することができる。
【００５５】
＜第２の実施の形態＞
以下、本実施の形態に係る組電池の異常検出システムについて説明する。なお、本実施の形態に係る異常検知システムのハードウェア構成は、前述の第１の実施の形態に係る組電池の異常検知システムのハードウェア構成と同じである。したがって、それらについての詳細な説明は個々では繰返さない。
【００５６】
図３を参照して、本実施の形態に係る異常検出システムに含まれる異常検出装置１００のＣＰＵ１１２で実行されるプログラムの制御構造について説明する。なお、図３に示すフローチャートの中で、前述の第１の実施の形態の図２と同じ処理については同じステップ番号を付してある。それらについての処理も同じである。したがって、それらについての詳細な説明はここでは繰返さない。
【００５７】
Ｓ１２２にて、ＣＰＵ１１２は、トランジスタＴ（Ｋ）をオフにする。このＳ１２２における処理の後、処理はＳ１２８へ移され、Ｓ１２８にて、ＣＰＵ１１２は、変数Ｋに１を加算する。
【００５８】
Ｓ２００にて、ＣＰＵ１１２は、ＴＩ（Ｋ）の平均値ＴＩＡＶを算出する。このときのＫは、Ｋ＝１〜Ｎであって、最低電圧に対応する単電池を除くものとする。Ｓ２０２にて、ＣＰＵ１１２は、ＴＩ（Ｋ）が、ＴＩＡＶより低くかつＴＩＡＶからの偏差が予め定められた値よりも大きい単電池の異常フラグをセットする。
【００５９】
以上のような構造およびフローチャートに基づく、本実施の形態に係る電池ＥＣＵ１１０のＣＰＵ１１２の動作について説明する。なお、以下の動作の説明において、前述の第１の実施の形態における動作と同じ動作についてのここでの詳細な説明は繰返さない。
【００６０】
サンプリングタイムになると（Ｓ１１０にてＹＥＳ）、トランジスタＴ（Ｋ）がオンであると（Ｓ１１４にてＹＥＳ）、Ｋ番目の単電池の電圧ＶＢ（Ｋ）が検知され（Ｓ１１６）、ＶＢ（Ｋ）がＶＭＩＮ±αであると（Ｓ１１８にてＹＥＳ）、タイマの現在値がＴＩ（Ｋ）に代入される（Ｓ１２０）。トランジスタＴ（Ｋ）がオフにされ（Ｓ１２２）、変数Ｋに１が加算され（Ｓ１２８）、変数Ｋが単電池の個数Ｎを上回るまで（Ｓ１３０にてＹＥＳ）、このような処理が繰返し行なわれる。
【００６１】
均等化処理が終わると（Ｓ１３０にてＮＯ）、測定された放電時間ＴＩ（Ｋ）の平均値ＴＩＡＶが算出される。それぞれの単電池においてＴＩ（Ｋ）がＴＩＡＶよりも低く、ＴＩＡＶからの偏差が予め定められた値よりも大きい単電池の異常フラグをセットする。
【００６２】
以上のようにして、本実施の形態に係る組電池の異常検出システムによると、組電池を構成する単電池の平均値に基づいて、各単電池の異常を検出することができる。
【００６３】
＜第３の実施の形態＞
以下、本実施の形態に係る組電池の電池異常システムについて説明する。なお、本実施の形態に係る電池異常システムのハードウェア構成は、前述の第１の実施の形態に係る組電池の異常検知システムのハードウェア構成と同じである。したがって、それらについての詳細な説明はここでは繰返さない。
【００６４】
図４を参照して、本実施の形態に係る組電池の異常検出システムの電池ＥＣＵ１１０のＣＰＵ１１２で実行されるプログラムの制御構造について説明する。なお、図４に示すフローチャートの中で、前述の図３に示したフローチャートと同じ処理については同じステップ番号を付してある。それらについての処理も同じである。したがって、それらについての詳細な説明はここでは繰返さない。
【００６５】
Ｓ３００にて、放電時間ＴＩ（Ｋ）の最大値ＴＩＭＡＸを判定する。Ｓ３０２にて、ＣＰＵ１１２は、放電時間ＴＩ（Ｋ）が、ＴＩＭＡＸから予め定められた値を減算した値よりも小さい単電池の異常フラグをセットする。
【００６６】
以上のような構造およびフローチャートに基づく、本実施の形態に係る組電池の異常検出システムの動作について説明する。
【００６７】
なお、本実施の形態に係る組電池の電池異常システムの動作の説明において、前述の第２の実施の形態における動作と同じ動作についてのここでの詳細な説明は繰返さない。
【００６８】
均等化処理が終了すると（Ｓ１３２にてＮＯ）、各単電池の放電時間ＴＩ（Ｋ）の最大値ＴＩＭＡＸが判定される（Ｓ３００）。それぞれの単電池についての放電時間ＴＩ（Ｋ）が、ＴＩＭＡＸから予め定められた値を減算した値よりも小さい単電池の異常フラグをセットする（Ｓ３０２）。
【００６９】
以上のようにして、本実施の形態に係る組電池の異常検出システムによると、均等化処理を行なった際の放電時間の最大値に基づいて、異常な単電池を検出することができる。
【００７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  本発明の実施の形態に係る異常検出システムの制御ブロック図である。
【図２】  本発明の第１の実施の形態に係る異常検出システムの電池ＥＣＵで実行されるプログラムの制御構造を示すフローチャートである。
【図３】  本発明の第２の実施の形態に係る異常検出システムの電池ＥＣＵで実行されるプログラムの制御構造を示すフローチャートである。
【図４】  本発明の第３の実施の形態に係る異常検出システムの電池ＥＣＵで実行されるプログラムの制御構造を示すフローチャートである。
【符号の説明】
１００  異常検出装置、１１０  電池ＥＣＵ、１２０  インジケータ、１１２ＣＰＵ、１１４  ＲＯＭ、１１６  ＲＡＭ、２００  リレー、３００  組電池。
【図１】
0003975796.tif 000002
【図２】
0003975796.tif 000003
【図３】
0003975796.tif 000004
【図４】
0003975796.tif 000005